(57)【要約】ユーザは、記録装置（１０）に、リムーバブル記録媒体（７０）上に記録（７１）を格納するようコマンドする。ユーザは、選択的に、記録にインタラクティビティを付加する。付加されたインタラクティビティに応じて、記録装置は、その付加されたインタラクティビティに基づいて記録とインタラクティブモジュールをリンクする。インタラクティブモジュールと、そのインタラクティブモジュールと記録とのリンクを表すインタラクティブリンクの両方がリムーバブル記録媒体上に格納される。
2006511030.tif 000002
【特許請求の範囲】
【請求項１】
記録装置を動作する方法であって、
前記記録装置のユーザにコマンドされてリムーバブル記録媒体上に記録を格納する段階と、
前記記録装置の前記ユーザによってコマンドされて前記記録にインタラクティビティを付加する段階と、
前記記録に付加された前記インタラクティビティに基づいて、前記記録とインタラクティブモジュールをリンクする段階と、
を有する方法。
【請求項２】
前記インタラクティブモジュールを、前記リムーバブル記録媒体上に格納する段階を更に有する請求項１記載の方法。
【請求項３】
前記リムーバブル記録媒体上に、インタラクティブリンクを格納する段階を更に有し、
前記インタラクティブリンクは、前記記録と前記インタラクティブモジュールの前記リンキングを表す、請求項１記載の方法。
【請求項４】
記録装置のユーザによってコマンドされてリムーバブル記録媒体上に記録を格納する手段と、
前記記録装置の前記ユーザによってコマンドされて前記記録にインタラクティビティを付加する手段と、
前記記録に付加された前記インタラクティビティに基づいて、前記記録とインタラクティブモジュールをリンクする手段と、
を有する記録装置。
【請求項５】
前記インタラクティブモジュールを、前記リムーバブル記録媒体上に格納する手段を更に有し、
前記インタラクティブモジュールは、前記記録に付加された前記インタラクティビティに対応する、請求項４記載の記録装置。
【請求項６】
前記リムーバブル記録媒体上に、インタラクティブリンクを格納する手段を更に有し、
前記インタラクティブリンクは、前記記録と前記インタラクティブモジュールの前記リンキングを表す、請求項４記載の記録装置。
【発明の詳細な説明】
【技術分野】
【０００１】
本発明は、一般的に、例えば、コンパクトディスク（「ＣＤ」）及びデジタルビデオディスク（「ＤＶＤ」）といったオーディオデータ及び／又はビジュアルデータを記録するためのリムーバブル記録媒体に係る。本発明は、特に、リムーバブル記録媒体に記録されたオーディオデータ及び／又はビジュアルデータへのインタラクティビティの付加に係る。
【背景技術】
【０００２】
今日、記録されたインタラクティブテレビジョン番組の様々な記憶形式が定義されている。この分野における努力は、デジタルテレビジョンとのインタラクションにおいてテレビジョン視聴者により期待される希望を満足することに向けられている。更に、デジタル記録装置（例えば、デジタルカムコーダ）のユーザも、装置のインタラクティブ機能を希望することが予想される。
【発明の開示】
【発明が解決しようとする課題】
【０００３】
従って、そのような装置に格納された記録の記憶形式を開発する必要がある。
【課題を解決するための手段】
【０００４】
本発明の１つの形は、様々なタイプの記録装置（例えば、カムコーダ、ＣＤプレイヤ、ＤＶＤプレイヤ、及び当該技術において周知である他の記録装置）を動作する方法である。最初に、記録（例えば、オーディオトラック、ビデオクリップ、オーディオ／ビジュアルクリップ、及び当該技術において周知である他のタイプの記録）が、記録装置のユーザによってコマンドされて、リムーバブル記録媒体（例えば、光ディスク、カセット、及び当該技術において周知である他のタイプのリムーバブル記録媒体）上に格納される。次に、インタラクティビティが、記録装置のユーザにコマンドされて、記録に付加される。次に、記録に付加されたインタラクティビティに基づいて記録とインタラクティブモジュールがリンクされる。次に、インタラクティブモジュールが、リムーバブル記録媒体上に格納される。最後に、記録とインタラクティブモジュール間のリンクを表すインタラクティブリンクが、リムーバブル記録媒体上に格納される。
【発明を実施するための最良の形態】
【０００５】
本発明の上述した形式並びに他の形式、特徴、及び利点は、添付図面と一緒に読んだ場合に、以下に説明する好適な実施例の説明から更に明らかとなろう。詳細な説明及び図面は、本発明を制限するのではなく例示するに過ぎず、本発明の範囲は、請求の範囲及びその等価物によって定義される。
【０００６】
図１は、中央処理演算ユニット（「ＣＰＵ」）３０、メモリ（「ＭＥＭ」）４０、ユーザインタフェース（「ＵＩ」）５０、記録コントローラ（「ＲＣ」）６０、及びネットワークインタフェース（「ＮＩ」）８０間の通信を容易にするバス２０を使用する記録装置（「ＲＤ」）１０を示す。図示するように、メモリ４０は、記録ソフトウェアモジュール４１を格納する。中央処理演算ユニット３０は、ユーザインタフェース５０を介してユーザによってコマンドされると、記録コントローラ６１を介して光ディスクの形であるリムーバブル記録媒体７０上に記録７１を従来通りに格納するよう記録ソフトウェアモジュール４１を実行する。本発明のインタラクティブ記憶方法では、中央処理演算ユニット３０は更に、記録コントローラ６０を介してリムーバブル記録媒体７０上にインタラクティブモジュール７２及びインタラクティブリンク７３を格納するよう記録ソフトウェアモジュール４１を実行する。
【０００７】
図２は、本発明のインタラクティブ記憶方法を表すフローチャート１００を示す。フローチャート１００の段階Ｓ１０２において、中央処理演算ユニット３０は、ユーザインタフェース５０を介してユーザによってコマンドされると、リムーバブル記録媒体上への記録７１の従来の記憶を制御する。１つの実施例では、記録７１は、図３に示すように、従来のクリップファイル（「ＣＦ」）である。
【０００８】
フローチャート１００の段階Ｓ１０４において、中央処理演算ユニット３０は、ユーザが、リムーバブル記録媒体上に格納された記録７１にインタラクティビティを付加する指示を入力したか否かが決定する。１つの実施例では、段階Ｓ１０４において、グラフィカルユーザインタフェースは、ユーザに、特定のスクリーン及びメニュを提示し、それにより、ユーザは、記録７１にインタラクティビティを付加することを選択可能である。図４は、段階Ｓ１０４において提示し得る例示的なスクリーン１２０を示す。図１に示すように、スクリーン１２０上にリストされるインタラクティブアプリケーションは、メモリ４０内に格納されたインタラクティブアプリケーション４２、及び／又は、図１に示すように、例えば、インターネット９０といったネットワークからネットワークインタフェース８０を介してダウンロードされたインタラクティブアプリケーションであることが可能である。１つの実施例では、各インタラクティブアプリケーション４２は、記述ファイルを有し、この記述ファイルは、グラフィカルユーザインタフェースを実行するときにユーザインタフェース５０によって構文解析され、それにより、ユーザは、ユーザにとって意味のある方法で記録にインタラクティビティを付加することが可能となる。
【０００９】
ユーザが、記録７１にインタラクティビティを付加することを希望しない場合、中央処理演算ユニット３０は、フローチャート１００を終了する。
【００１０】
ユーザが、オーディオ／ビジュアル記録７１にインタラクティビティを付加する場合、中央処理演算ユニット３０は、フローチャート１００の段階Ｓ１０６に進み、ユーザによって記録７１に付加されたインタラクティビティに基づいて、記録７１とインタラクティブモジュール７２をリンクする（即ち、インタラクティブモジュール７２は、各選択されたインタラクティブアプリケーションの一部と、記録７１に付加されたインタラクティビティを表示するのに必要な任意の他のソフトウェアを有する）。記録７１とインタラクティブモジュール７２のリンキングのタイプと度合いは、制限はない。１つの実施例では、リンキングは、インタラクティブモジュール７２を実行させるための記録７１におけるメインエントランスを識別すること、インタラクティブモジュール７２の任意のトリガ瞬間情報を識別すること、及び当業者には想到できるような他のリンクが関連する。
【００１１】
フローチャート１００の段階Ｓ１０８において、中央処理演算ユニット３０は、インタラクティブモジュール７２のリムーバブル記録媒体７０への記憶を制御する。１つの実施例では、インタラクティブモジュール７２は、図３に示すように、従来のＭＨＰモジュールファイル（「ＭＨＰ  ＭＯＤ」）である。
【００１２】
フローチャート１００の段階Ｓ１１０において、中央処理演算ユニット３０は、記録７１とインタラクティブモジュール７２との間のリンキングを表すインタラクティブリンク７３の記憶を制御する。１つの実施例では、インタラクティブリンク７３は、図３に示すように、ＭＨＰ情報ファイル（「ＭＨＰ  ＩＮＦＯ」）であり、主に、インタラクティブモジュール７２の名前、インタラクティブモジュール７２のサイズ、インタラクティブモジュール７２を実行するためのメインエントランス、インタラクティブモジュール７２の構造（構造はファイルシステムのようである）、一部のポップアップ情報をトリガする機能を有する場合にはインタラクティブモジュール７２のトリガ瞬間情報、及び当業者には想到できるような他の情報を有する。
【００１３】
カムコーダとしての記録装置１０の作業例は、記録装置１０のユーザによるリムーバブル記録媒体７０上への美しいシーンの記録７１が関連する。記録７１へのインタラクティビティの付加を希望するユーザは、第１のメニュからインタラクティビティオプションを選択する。この選択は、ユーザが、メモリ４０内に格納されたインタラクティブアプリケーション４２から、又は、インターネット９０上のウェブサイトからのインタラクティブアプリケーション４２のダウンロードから選択するための第２のメニュがポップアップさせる。いずれかの選択によって、選択されたインタラクティブアプリケーション４２用のテンプレートがリストされた第３のメニュがポップアップし、それにより、ユーザは、シーンインタラクティブアプリケーションテンプレートを選択する。ユーザは、このテンプレートを用いて、記録されたシーンの場所の名前（例えば、アイントホーフェン中央市場）と、日付及び記録７１の目的を有する簡単な紹介を入力する。ユーザは更に、記録されたシーンにおける重要な瞬間を選択し、記録されたシーンに装飾的な画像を付加し、記録されたシーンに言葉と画像を表示するようラベル／ボタンを押す。ユーザは、インターネット９０から、ユーザが記録７１を記録した日のニュースを有するニュースアプリケーションをダウンロードする。
【００１４】
完了すると、記録７１、インタラクティブモジュール７２、及びインタラクティブリンク７３は、フローチャート１００（図２）に従ってリムーバブル記録媒体７０上に格納される。続いて、リムーバブル記録媒体７０は、記録装置７０から取り外され、別の記録装置に挿入されることが可能であり、それにより、記録７１を見ている誰もが、付加のインタラクティビティを観察することができる（例えば、記録７１の名前及び目的を知る、挿入された装飾的なシーンを見る、及び、その記録の当日のニュースを読む）。
【００１５】
本発明の理解を容易にするために、フローチャート１００の様々な段階Ｓ１０２−Ｓ１１０は、順次に説明した。実際には、フローチャート１００の段階Ｓ１０２−Ｓ１１０は、本願に説明したように順次実行されるか、又は、フローチャート１００を実施する記録装置のユーザの要求に見合うために適した任意の他の順序で実行されることが可能である。
【００１６】
尚、図１乃至５は、本発明の特定の適用及び実施例を示すのであって、本発明の本開示及び請求項の範囲を制限するものではないことを明記することが重要である。明細書を読み且つその図面を参照することによって、当業者には、本発明の無数の他の実施例が可能であることはすぐに明らかであり、このような実施例は、請求項の範囲内であると考えられる。
【００１７】
本願に開示する本発明の実施例は、好適であると考えられるが、様々な変更及び修正が、本発明の精神及び範囲から逸脱することなく行われることが可能である。本発明の範囲は、請求項に示され、等価物の意味及び範囲内に含まれる全ての変更は、請求項の範囲内に含まれるものとする。
【図面の簡単な説明】
【００１８】
【図１】本発明の１つの実施例によるオーディオ／ビジュアルレコーダを示すブロック図である。
【図２】本発明の１つの実施例によるインタラクティブ記憶方法のフローチャートである。
【図３】本発明の１つの実施例による光ディスクを示す図である。
【図４】本発明の１つの実施例による第１のグラフィカルユーザインタフェースを示す図である。
【図１】
2006511030.tif 000003
【図２】
2006511030.tif 000004
【図３】
2006511030.tif 000005
【図４】
2006511030.tif 000006
【国際調査報告】
2006511030.tif 000007
2006511030.tif 000008
2006511030.tif 000009